(57)【特許請求の範囲】
【請求項１】
可変度数の光学的補正により観測の光軸（Ｘ）に沿った観測を可能にする視覚補正系（１０）において、
−  前記光軸（Ｘ）を中心とする回転運動により回転可能であり、且つ前記光軸（Ｘ）に沿った第１の円柱度数を有する第１の光学素子（２）と、
−  前記光軸（Ｘ）を中心とする回転運動により回転可能であり、且つ前記光軸（Ｘ）に沿った第２の円柱度数を有する第２の光学素子（４）と、
−  軸について前記光軸を有し、且つ可変球面度数のレンズ（６）と
を含み、
モータ（４６）により駆動される機構（３６、２７）は、可変球面度数の前記レンズ（６）の前記球面度数を制御するためのリングを駆動して回転させるように設けられており、
可変球面度数の前記レンズ（６）は流体と変形可能膜とを含むレンズであり、
前記リングはケースに取り付けられ、前記リングの回転は可変球面度数の前記レンズ（６）の一部を平行移動させて前記変形可能膜の変形を引き起こす、ことを特徴とする、視覚補正系（１０）。
【請求項２】
前記第１の光学素子（２）と前記第２の光学素子（４）とは、少なくとも１つの位置において、前記第１の光学素子（２）と前記第２の光学素子（４）との合成により生成される結果的な円柱度数が０．１ジオプタ未満の値を有するように、互いに独立に回転可能である、請求項１に記載の視覚補正系。
【請求項３】
第１のモータ（４２）により駆動される第１の機構（３２、２２）は、前記光軸（Ｘ）を中心とする回転運動により前記第１の光学素子（２）を回転するように設計され、第２のモータ（４４）により駆動される第２の機構（３４、２４）は、前記光軸（Ｘ）を中心とする回転運動により前記第２の光学素子（４）を回転するように設計される、請求項１〜２のいずれか一項に記載の視覚補正系。
【請求項４】
制御要素（５０）は、設定点データに応じて前記第１のモータ（４２）と前記第２のモータ（４４）とをそれぞれ制御するように設計される、請求項３に記載の視覚補正系。
【請求項５】
前記制御要素（５０）は温度センサ（６２）を含む、請求項４に記載の視覚補正系。
【請求項６】
前記制御要素（５０）は、配向データムを提供するように設計された配向又は運動のセンサ（６４）を含み、
前記制御要素（５０）は、前記設定点データ及び前記配向データムのうちの少なくとも１つに応じて制御信号を生成し、且つ前記第１のモータ（４２）と前記第２のモータ（４４）とにそれぞれに宛てられた制御信号を発するように設計された計算機（６６）を含む、
請求項４又は５に記載の視覚補正系。
【請求項７】
前記制御要素（５０）は、前記設定点データ及び前記系の一部と前記系を通して観測する眼との間の距離のうちの少なくとも１つに応じて制御信号を生成するように設計される、請求項４〜６のいずれか一項に記載の視覚補正系。
【請求項８】
前記第１の機構は、前記第１のモータ（４２）の駆動軸へ確実に固着される第１のウォームスクリュ（３２）と相互作用する第１の歯（２２）を含み、前記第１の光学素子（２）は前記第１の歯（２２）に取り付けられ、前記第２の機構は、前記第２のモータ（４４）の駆動軸へ確実に固着される第２のウォームスクリュ（３４）と相互作用する第２の歯（２４）を含み、前記第２の光学素子（４）は前記第２の歯（２４）に取り付けられ、
前記機構は、前記モータ（４６）の駆動軸へ確実に固着される第３のウォームスクリュ（３６）と相互作用する第３の歯（２７）を含み、前記リングは前記第３の歯（２７）へ確実に固着される、
請求項３〜７のいずれか一項に記載の視覚補正系。
【請求項９】
関連光学素子（２；４；６）の位置を判断するように前記歯（２２；２４；２７）のうちの１つに関連付けられた少なくとも１つの光学セル（５２；５４；５６）を含む、請求項８に記載の視覚補正系。
【請求項１０】
前記第１の光学素子、前記第２の光学素子及び前記レンズは、電力の供給無しにそれらのそれぞれの設定点位置を維持するように取り付けられる、請求項１〜９のいずれか一項に記載の視覚補正系。
【請求項１１】
前記第１の光学素子（２）、前記第２の光学素子（４）及び前記レンズ（６）は、ジャクソンクロスシリンダ関数を提供するように制御される、請求項１〜１０のいずれか一項に記載の視覚補正系。
【請求項１２】
可変度数の光学的補正により観測の光軸（Ｘ）に沿った観測を可能にする視覚補正系（１０）において、
−  前記光軸（Ｘ）を中心とする回転運動により回転可能であり、且つ前記光軸（Ｘ）に沿った第１の円柱度数を有する第１の光学素子（２）と、
−  前記光軸（Ｘ）を中心とする回転運動により回転可能であり、且つ前記光軸（Ｘ）に沿った第２の円柱度数を有する第２の光学素子（４）と、
−  軸について前記光軸を有する可変球面度数のレンズであって、前記球面度数を連続的に変化させるように機械的に作動可能なレンズ（６）と
を含み、
モータ（４６）により駆動される機構（３６、２７）は、可変球面度数の前記レンズ（６）の前記球面度数を制御するためのリングを駆動して回転させるように設けられており、
可変球面度数の前記レンズ（６）は流体と変形可能膜とを含むレンズであり、
前記リングはケースに取り付けられ、前記リングの回転は可変球面度数の前記レンズ（６）の一部を平行移動させて前記変形可能膜の変形を引き起こす、ことを特徴とする、視覚補正系（１０）。
【請求項１３】
２つの光学系を含む検眼用双眼鏡装置であって、前記２つの光学系のうちの少なくとも１つは請求項１〜１２のいずれか一項に記載の視覚補正系である、検眼用双眼鏡装置。
【発明の詳細な説明】
【技術分野】
【０００１】
本発明は、概して、検眼の分野に関する。
【０００２】
本発明は、より具体的には、視覚補正系（ｖｉｓｕａｌ  ｃｏｍｐｅｎｓａｔｉｏｎ  ｓｙｓｔｅｍ）と、このような系を含む検眼用双眼鏡装置（ｏｐｔｏｍｅｔｒｉｃ  ｂｉｎｏｃｕｌａｒ  ｄｅｖｉｃｅ）とに関する。
【背景技術】
【０００３】
患者の視力の測定に関連して、例えば検眼用縁（ｔｒｉａｌ  ｆｒａｍｅ）により、又はフォロプタなどの屈折器により提供される視覚補正を模擬することが既に提案されている。
【０００４】
検眼用縁は、患者に好適な補正が発見されるまで、様々な補正を提供する検眼レンズを連続して収容することができる。
【０００５】
この解決策は、非実用的であり、検眼レンズを専用箱内に別個に格納する必要がある。この解決策はさらに、レンジ変更を伴い、補正度数において望ましくなく且つ非連続的な遷移を生じる。
【０００６】
フォロプタでは、検眼レンズは、手動で又は電動機構を使用して回転される複数のディスク上に配置される。
【０００７】
しかし、このような物体は、各ディスク上に配置されるレンズの数に関係するかなりの嵩及び重量を有することが理解される。
【０００８】
加えて、フォロプタを介した視野は、様々な補正値を得るために一列に並べられる複数のレンズのために制限される（トンネル効果）。
【０００９】
本発明を提示する前に、以下の説明において使用される概念のいくつかの定義を記載する。
【００１０】
屈折力（ｏｐｔｉｃａｌ  ｐｏｗｅｒ）は光学素子が光線を集束又は発散させることができる度合いである。屈折力はジオプタで表現され、メートルで表された焦点長の逆数に対応する。
【００１１】
屈折力がレンズのすべての経線面において同じ（光軸に関して回転対称）である場合、球面度数（ｓｐｈｅｒｉｃａｌ  ｐｏｗｅｒ）と言う。
【００１２】
対称的に、屈折力がレンズの経線に応じて変化する場合、非点収差（ａｓｔｉｇｍａｔｉｓｍ）と言う。乱視用光学素子の場合、円柱度数（ｃｙｌｉｎｄｒｉｃａｌ  ｐｏｗｅｒ）は、すなわち、第１の基準経線に沿った最大屈折力と第２の経線に沿った最小屈折力との差を指す。これは円環状又は円柱状面の場合である。
【発明の概要】
【発明が解決しようとする課題】
【００１３】
これに関連して、本発明は、可変度数の光学的補正により観測の光軸に沿った観測を可能にする視覚補正系において、光軸を中心とする回転運動により回転可能であり、且つ光軸に沿った第１の円柱度数を有する第１の光学素子と、光軸を中心とする回転運動により回転可能であり、且つ光軸に沿った第２の円柱度数を有する第２の光学素子と、軸について前記光軸を有し、且つ可変球面度数のレンズとを含むことを特徴とする、視覚補正系を提供する。
【課題を解決するための手段】
【００１４】
第１の光学素子と第２の光学素子とは、少なくとも１つの位置において、第１の光学素子と第２の光学素子との合成により生成される結果的な円柱度数が無視できる値（例えば、０．１ジオプタ未満）又はさらには零の値を有するように、互いに独立に回転可能であり得る。
【００１５】
実際には、第２の円柱度数の絶対値は例えば第１の円柱度数の絶対値に等しい（又は少なくともほぼ等しい）ため、前記合成円柱度数値は少なくとも１つの位置において零（又はほぼ零）である。
【００１６】
換言すれば、この場合、第２の円柱度数は第１の円柱度数に等しい又は逆極性である。しかし、第１の円柱度数と第２の円柱度数とは、その合成（すなわち、結果的な）円柱度数が少なくとも１つの位置において相殺する整合を得るように、２つのレンズ間の間隔を補正するために異なり得る（Ｇｕｌｌｓｔｒａｎｄの式に従って）。
【００１７】
したがって、以下に続く記載において説明するように、第１の光学素子の角度位置（以下に続く記載では角度α1）と第２の光学素子の角度位置（以下に続く記載では角度α2）を互いに独立に変更し、可変球面度数のレンズの球面度数ＳVを変更することにより、系（第１の光学素子、第２の光学素子及び可変球面度数のレンズにより形成される）の球面度数Ｓ、円柱度数Ｃ、及び非点収差αの角度を所定範囲にわたり独立に変更することが可能である。
【００１８】
特に、円柱度数の２つの光学素子の相互配位を変更する能力により、系の円柱度数Ｃが低い系の少なくとも１つの位置が存在する。第１の円柱度数と第２の円柱度数とが絶対値で等しい又はほぼ等しい場合、系の円柱度数Ｃが無視できる又は零ですらある、これらの２つの素子の少なくとも１つの相対位置が存在する。したがって、球面度数のみの補正値を生成することが可能である。
【００１９】
さらに、可変球面度数は特に、球面度数を相殺するか、又は所望の球面度数に従って全体で（完全系の）球面度数を得るかのいずれかのために、円柱度数の光学素子同士の関連付けにより生成される球面度数を補正できるようにすることに注意されたい。したがって、第１の光学素子と第２の光学素子との合成により導出される球面度数は、可変球面度数のレンズにより少なくとも部分的に補正され得る。
【００２０】
したがって、この視覚補正系は、３つの光学素子がパラメータの前述の範囲内の可変補正値を生成するのに十分であるため、小さい嵩を有することに加えて、可変補正値を生成するのに特に好適である。
【００２１】
この系はさらに、ジャクソンクロスシリンダ（Ｊａｃｋｓｏｎ−ｃｒｏｓｓ−ｃｙｌｉｎｄｅｒ）関数が２つの円柱度数光学素子の急速回転により提供され得るようにする。この関数（屈折プロトコルにおいて頻繁に使用される）を提供するために、垂直な軸及び反対の符号で同一度数の２つの平坦−円柱（ｐｌａｎｅ−ｃｙｌｉｎｄｒｉｃａｌ）レンズで構成される交差二重円柱（ｃｒｏｓｓｅｄ  ｂｉｃｙｌｉｎｄｅｒ）が使用される。交差二重円柱の球面度数は零であり、交差二重円柱は、二重円柱を回転することにより円柱度数の値を急速に変更するために使用される。この高速変化は、ここでは、第１の光学素子と第２の光学素子とを一斉に回転させるように駆動することにより、補足的光学素子の追加無しに実現可能である。
【００２２】
可変球面度数のレンズは、例えば、流体を含む変形可能レンズ、又は換言すれば流体と変形可能膜とを含むレンズである。
【００２３】
第１のモータにより駆動される第１の機構であって、光軸を中心とする回転運動により第１の光学素子を回転するように設計された第１の機構と、任意選択的に、第２のモータにより駆動される第２の機構であって、光軸を中心とする回転運動により第２の光学素子を回転するように設計された第２の機構とが設けられ得る。
【００２４】
一方では第１の機構及び第１のモータと、他方では第２の機構及び第２のモータとは、第１のアクチュエータ及び第２のアクチュエータをそれぞれ形成し、それぞれ第１及び第２の光学素子の一方の位置を調整できるようにする。
【００２５】
視覚補正系は、設定点データ（例えば、視覚補正系のユーザにより操作される遠隔制御装置から受信される設定点データ）に応じて第１のモータと第２のモータとをそれぞれ制御するように設計された制御要素を含み得る。
【００２６】
制御要素は、例えば温度センサ及び／又は配向データムを提供するように設計された配向又は運動のセンサを含む。
【００２７】
制御要素は特に、前記設定点データ及び前記配向データムのうちの少なくとも１つに応じて制御信号を生成し、且つ第１のモータと第２のモータとにそれぞれに宛てられた制御信号を発するように設計された計算機を含むようにされ得る。
【００２８】
したがって、モータへ送信される制御信号は、例えば重力に起因して液体レンズに導出される度数効果を補正するために視覚補正系の配向を考慮することになる。
【００２９】
制御要素はまた、前記設定点データ及び系の一部と系を通して観測する眼との間の距離のうちの少なくとも１つに応じて制御信号を生成するように設計され得る。
【００３０】
第１の機構は、例えば第１のモータの駆動軸へ確実に固着される第１のウォームスクリュと相互作用する第１の歯を含み得、第１の光学素子は第１の歯に取り付けられ得る。
【００３１】
同様に、第２の機構は、例えば第２のモータの駆動軸へ確実に固着される第２のウォームスクリュと相互作用する第２の歯を含み得、第２の光学素子は第２の歯に取り付けられ得る。
【００３２】
このような機構により、モータの出力速度を低減できるようにする。視覚補正系はしたがって特に高い分解能を有し、系の補正を規定するパラメータＳ、Ｃ、及びαはしたがって前述の範囲内でほぼ連続な値の組を有し得る。加えて、このような機構により、歯及びしたがってこれらの歯により担持される光学素子は、モータへの電力供給が無い場合でも適切な位置に維持される。したがって、光学素子（すなわち、第１の光学素子、第２の光学素子及びレンズ）は、電力の供給無しに（電力の供給無しでさえも）それらのそれぞれの設定点位置を維持するように（視覚補正系内に）取り付けられる。
【００３３】
視覚補正系は、関連光学素子（第１の光学素子、第２の光学素子、又はレンズのいずれか）の位置を判断するように前記歯に関連付けられた少なくとも１つの光学セル（実際には各歯に関連付けられた１つの光学セル）を含み得る。
【００３４】
視覚補正系は、例えば、少なくとも１つの第１の部分及び１つの第２の部分を組み立てることにより形成されたケース内に収容され得、第１の歯が前記第１の部分上に回転可能に取り付けられ、第２の歯が前記第２の部分上に回転可能に取り付けられるようにすることが可能である。
【００３５】
第１のモータは、例えば前記第１の部分に取り付けられ、及び／又は第２のモータは、例えば前記第２の部分に取り付けられる。
【００３６】
可変球面度数のレンズの球面度数を制御するためのリングを駆動して回転させるように設計された第３のモータにより駆動される第３の機構も設けられ得る。
【００３７】
したがって、球面度数はまた、第３のモータ及び第３の機構で形成されたアクチュエータにより調整され得る。
【００３８】
第３の機構は、例えば、第３のモータの駆動軸へ確実に固着される第３のウォームスクリュと相互作用する第３の歯を含み、制御リングは第３の歯へ確実に固着される。
【００３９】
第１のモータ、第２のモータ及び第３のモータは、例えばレンズの有効半径に可能な限り近い（例えば、レンズの有効半径から２０ｍｍ未満（又は、さらに１０ｍｍ未満））距離において、光軸を中心とする円状幾何学形状を少なくとも１２０°にわたって（例えば１８０°にわたって）確保するように配置され、したがって小さい嵩のアセンブリが得られる。
【００４０】
前述の制御要素（例えば、前述の計算機を使用する）は、前記設定点のうちの少なくとも１つと温度センサにより生成される温度データムとに応じて、第３のモータへ宛てられた少なくとも１つの制御信号を生成するように設計され得る。したがって、温度のいかなる変動による可変球面度数のレンズの球面度数の変動も補正することが可能である。
【００４１】
ケースはさらに、第３のモータが場合により取り付けられる第３の部分を含み得る。
【００４２】
想定可能な実施形態（例えば、以下に説明されるもの）によると、第１の光学素子は第１の平坦−円柱レンズの面上に形成された第１のジオプタであり、及び／又は第２の光学素子は第２の平坦−円柱レンズの面上に形成された第２のジオプタである。正確には、第１のレンズが凸状平坦−円柱レンズとなり、及び／又は第２のレンズが凹状平坦−円柱レンズとなるようにされ得る。
【００４３】
さらに、第１の光学素子、第２の光学素子及びレンズは、第１の光学素子、第２の光学素子及びレンズで形成される系の円柱度数及び／又は非点収差の角度が（それぞれ）２つの別個の値間で交互に切り替わるようにジャクソンクロスシリンダ関数を提供するように制御され得る。
【００４４】
換言すれば、本発明は、可変度数の光学的補正により観測の光軸に沿った観測を可能にする視覚補正系において、
−  光軸を中心とする回転運動により回転可能であり、且つ光軸に沿った第１の円柱度数を有する第１の光学素子と、
−  光軸を中心とする回転運動により回転可能であり、且つ光軸に沿った第２の円柱度数を有する第２の光学素子と、
−  軸について前記光軸を有する可変球面度数のレンズであって、前記球面度数を連続的に変化させるように機械的に作動可能なレンズと
を含むことを特徴とする、視覚補正系を提供する。
【００４５】
本発明はまた、例えば共通ホルダ上に取り付けられる２つの光学系を含む検眼用双眼鏡装置であって、２つの光学系のうちの１つ（又はさらに２つの光学系のそれぞれ）が上に提示したような視覚補正系である、検眼用双眼鏡装置を提供する。
【００４６】
非限定的例として与えられる添付図面に関する以下の説明は、本発明の本質と本発明が実施され得る方法とを明確に説明する。
【図面の簡単な説明】
【００４７】
【図１】本発明の一例示的実装形態において使用される光学素子を概略的に示す。
【図２】本発明の教示による例示的視覚補正系の断面図を示す。
【図３】図２の視覚補正系の円柱レンズの側面からの切欠図を示す。
【図４】図２の視覚補正系の可変球状レンズの側面からの切欠図を示す。
【図５】図２の視覚補正系を制御するための要素を概略的に示す。
【発明を実施するための形態】
【００４８】
図１は、本発明の教示による例示的視覚補正系の主要光学素子を概略的に示す。
【００４９】
これらの光学素子は、円柱度数Ｃ0の凸状平坦−円柱レンズ２と、負の円柱度数−Ｃ0の凹状平坦−円柱レンズ４と、可変球面度数ＳVのレンズ６とを含む。
【００５０】
したがって、凹状平坦−円柱レンズ４の円柱度数（ここでは−Ｃ0）の絶対値（又は係数）（ここではＣ0）は、凸状平坦−円柱レンズ２の円柱度数（Ｃ0）の絶対値（Ｃ0）（又は率）に等しい。
【００５１】
３つのレンズ２、４、６は同じ光軸Ｘ上に配置される。正確には、３つのレンズ２、４、６のそれぞれは光軸Ｘを中心とするほぼ円柱状の外形を有する。本明細書で説明する例では、レンズ２、４、６は２５ｍｍ、２５ｍｍ、２０ｍｍの直径（それらの嵩を定量化する）をそれぞれ有する。
【００５２】
直径の大きい円柱度数のレンズ２、４が可変球面度数レンズ６（それ自体は患者の眼に対するその近接性により広いと感じられる）により画定される視野を制限しないように、可変球面度数レンズ６側に位置する患者の眼によりこの視覚補正系１０を使用することが好ましいことに注意されたい。
【００５３】
３つのレンズ２、４、６のそれぞれは、光軸Ｘに垂直な第１の平坦面と、第１の面に対向するとともに光学活性された第２の面とを含み、
−  レンズ２の光学活性面は形状が円柱状凸であり（この面を画定する円柱の軸Ｙ1は光軸Ｘに垂直である）、
−  レンズ４の光学活性面は形状が円柱凹状であり（この面を画定する円柱の軸Ｙ2は光軸Ｘに垂直である）、及び
−  可変球面度数ＳVのレンズ６の光学活性面は変形可能であり、したがって凸状球形状（図１の点線により示す）、平坦形状又は凹状球形状（実線により示す）を採用し得る。
【００５４】
可変球面度数ＳVのレンズ６は、例えば欧州特許第２，０３４，３３８号明細書に記載されたタイプのレンズである。このようなレンズは、透明な変形可能膜と平坦な可動透明壁とにより閉ざされた空洞を含み、空洞は、したがって球状凹面、平坦面、又は球状凸面のいずれかである膜を変形するために、程度の差はあっても可動面により制約された一定量の透明液体を含む。使用されるレンズでは、ナット／ボルト系からなる運動の変換が回転及び直線運動の変換を保証する。したがって、例えば前述の欧州特許第２，０３４，３３８号明細書で説明したように、ケース２６に取り付けられたリングを回転することでレンズ６の一部を平行移動させ、これにより透明膜の前述の変形を引き起こす。したがって、レンズ６に対する機械的作用を介して球面度数ＳVを連続的に変更することが可能である。本明細書で説明する例では、レンズ６は−４０ｍｍ〜４０ｍｍの可変焦点長、すなわち−２５Ｄ〜２５Ｄの可変球面度数ＳVを有する（Ｄは、両眼転導（ｖｅｒｇｅｎｃｅ）を測定する単位ジオプタであり、焦点長の逆数でありメートルで表される）。
【００５５】
さらに、平坦−円柱レンズ２、４は、それぞれ、既に示したように−Ｃ0及びＣ0の円柱度数を有する（ここではＣ0＝５Ｄ）。
【００５６】
以下により詳細に説明するように、凹状平坦−円柱レンズ４と凸状平坦−円柱レンズ２とは、軸Ｘを中心として回転可能（軸Ｘを中心とする回転運動）に取り付けられる。
【００５７】
したがって、凸状平坦−円柱レンズ２の光学活性面上に形成される凸状円柱の軸Ｙ1は基準軸Ｙ0（固定され、且つ光軸Ｘに垂直である）と可変角度α1をなし得る。
【００５８】
同様に、凹状平坦−円柱レンズ４の光学活性面上に形成される凹状円柱の軸Ｙ2は基準軸Ｙ0と可変角度α2をなし得る。
【００５９】
様々な経線上の両眼転導を計算することにより、これまでに述べた３つの光学素子２、４、６で形成された系の球面度数Ｓ、円柱度数Ｃ、及び非点収差αの角度の下記式が得られる。
【数１】
0006574202.tif 000002
【００６０】
式３の項（−Ｃ／２）は円柱度数を提供する２つのレンズの合成により生成される球面度数に対応することに注意されたい。
【００６１】
以下に説明するように、凸状平坦−円柱レンズ２の回転位置と凹状平坦−円柱レンズ４の回転位置とを互いに独立に制御することにより、角度α1、α2のそれぞれを０°〜３６０°で独立に変更し、したがって−２Ｃ0〜２Ｃ0（すなわち、ここでは−１０Ｄ〜１０Ｄ）の調整可能な円柱度数Ｃを得ることが可能であり、０°〜３６０°で調整可能な非点収差の任意の角度が２つのレンズの同時制御により得られる。式３が示すように、２つの円柱レンズの配向の合成から生じる球面度数は、可変球面度数のレンズを使用することにより補正される。
【００６２】
さらに、球状レンズ６の球面度数ＳVを変更することにより、３つのレンズ２、４、６で形成される系の球面度数Ｓを調整することが可能である。
【００６３】
１つの想定可能な変形形態によると、設定された円柱度数を提供するレンズは、同じ（正又は負の）円柱度数Ｃ0を有し得、２つの任意選択的に同一の凸状平坦−円柱レンズ、又は代替として２つの任意選択的に同一の凹状平坦−円柱レンズの問題であり得る。
【００６４】
具体的には、この場合、これら２つのレンズと可変球面度数を提供するレンズとで形成される系の球面度数Ｓ、円柱度数Ｃ、及び非点収差αの角度は下記式により与えられる。
【数２】
0006574202.tif 000003
【００６５】
項Ｃ0−Ｃ／２は、円柱度数を提供する２つのレンズの合成により導出される球面度数に対応する。
【００６６】
したがって、この場合も、円柱度数を提供するレンズを回転する（互いに独立して）ことにより、及び可変球面度数を提供するレンズの球面度数を変更することにより、円柱度数Ｃが零となるように、球面度数Ｓ、円柱度数Ｃ、及び非点収差αの角度を調整することが可能である。
【００６７】
これまでに説明した光学素子を使用する例示的視覚補正系１０を図２に示す。
【００６８】
以下の説明では、説明を明確にするために、図２、３、及び４の配向を規定する「上側」又は「下側」などの用語が使用される場合がある。この配向は、説明した系からなり得る用途であって、唯一の基準方向が光軸Ｘである用途には必ずしも適用可能ではないことが理解される。
【００６９】
視覚補正系１０は、光軸Ｘに沿って連続に配置されるとともに光軸Ｘに垂直な面内に対で組み立てられる第１の部分１４、第２の部分１６及び第３の部分１８で形成されるケース１２を含む。
【００７０】
第１の歯２２は、ケース１２の第１の部分１４における光軸Ｘを中心とする回転運動により回転することができるように取り付けられ、この目的のために設けられる開口内の第１の歯２２の中心に凸状平坦−円柱レンズ２を担持する。第１の歯２２と凸状平坦−円柱レンズ２とは同軸であり、換言すれば、光軸Ｘに垂直な面内の断面では、第１の歯２２の外周と凸状平坦−円柱レンズ２の外周とは光軸Ｘを中心とする同心円を形成する。
【００７１】
同様に、第２の歯２４は、ケース１２の第２の部分１６における光軸Ｘを中心とする回転運動により回転することができるように取り付けられ、この目的のために設けられる開口内の第２の歯２４の中心に凹状平坦−円柱レンズ４を担持する。第２の歯２４と凹状平坦−円柱レンズ４とは同軸であり、換言すれば、光軸Ｘに垂直な面内の断面では、第２の歯２４の外周と凹状平坦−円柱レンズ４の外周とは光軸Ｘを中心とする同心円を形成する。
【００７２】
ケース１２の第３の部分１８内の光軸Ｘを中心とする回転運動により回転することができるように第３の歯２７が取り付けられる。第３の歯２７は、可変球面度数のレンズ６を担持するケース２６の外周上に設けられるリングに確実に固着され、球面度数ＳVが制御され得るようにする。可変球面度数のレンズ６のケース２６はケース１２の第３の部分１８に取り付けられる。
【００７３】
図３に明確に見られるように、第１の歯２２は、その駆動軸が第１のウォームスクリュ３２（第１の歯２２と係合する）を担持する第１のモータ４２により（光軸Ｘを中心として）回転される。第１のモータ４２は、例えばケース１２の第１の部分１４に取り付けられる。
【００７４】
第１の歯２２の現在位置は第１の光学セル５２により監視される。
【００７５】
同様に、第２の歯２４は、その駆動軸が第２のウォームスクリュ３４（第２の歯２４と係合する）を担持する第２のモータ４４により光軸Ｘを中心として回転される。第２のモータ４４は、例えばケース１２の第２の部分１６に取り付けられる。
【００７６】
第２の歯２４の現在位置は第２の光学セル５４により監視される。
【００７７】
図４に示すように、第３の歯２７のその一部は、第３の歯２７と係合する第３のウォームスクリュ３６が取り付けられ駆動軸を有する第３のモータ４６により（光軸Ｘを中心として）回転される。第３のモータ４６は、例えばケース１２の第３の部分１８に取り付けられる。
【００７８】
第３の歯２７の現在位置は第３の光学セル５６により監視される。
【００７９】
光学セル５２、５４、５６のそれぞれは、例えば少なくとも１つの光センサを含むいくつかの素子で形成され、その対の他の素子は例えば発光器（又は、変形形態として反射素子、この場合、発光器は光センサを伴う）である。
【００８０】
第１、第２、及び第３のモータ４２、４４、４６は、例えば２０ステップ／回転の分解能を有するステッピングモータであり、ここでは１ステップの８分の１単位で設定される（以下ではマイクロステップと呼ばれる）。変形形態として、これらのモータは１ステップの１６分の１単位で設定され得る。
【００８１】
ケース１２の内容積（及び、同様に第１の部分、第２の部分及び第３の部分１４、１６、１８のそれぞれの内容積）は、モータ４２、４４、４６を収容するための空間（図２、３、及び４のケース１２の上側領域）と光学素子２、４、６を収容するための空間（図２、３、及び４のケース１２の下側領域）とに再分割され得る。
【００８２】
モータ４２、４４、４６を収容するための空間は、光学素子２、４、６を収容するための空間の方向に（同図の最下部に向かって）開き、ケース１２の上面１９により反対端において（同図の最上部に向かって）閉じたほぼ平行六面体の形状を有する（ケース１２の上面１９は、ケース１２の第１、第２及び第３の部分１４、１６、１８のそれぞれを組み立てて形成される）。
【００８３】
モータ４２、４４、及び４６の配置は、有利にはレンズの有効半径に可能な限り近い光軸を中心とする円状幾何学形状を１８０°にわたって使用できるようにするようにされる。
【００８４】
光学素子２、４、６を収容するための空間は、モータを収容するための空間とは対照的に、ケース１２の外周の半分にわたって第３の歯２７の形状と一致する円柱形状（ケース１２の壁に囲まれた）を有する。
【００８５】
換言すれば、ケース１２（及びしたがってケース１２の第１、第２、及び第３の部分１４、１６、１８のそれぞれ）は光学素子２、４、６を収容するための空間内に、第３の歯２７の直径（光軸Ｘに垂直である）とほぼ同じであり、且つ若干大きい直径を有する筒形状を有する。
【００８６】
歯２２、２４、２７のそれぞれの直径は、光学系の厚さにもかかわらず視野を維持するように選択される。
【００８７】
第１のモータ４２及び第１のウォームスクリュ３２は、モータを収容するための空間内に第１のモータ４２が収容され、一方で光学素子を収容するための空間内に第１のウォームスクリュ３２が存在するように、ケース１２内でケース１２の上面に垂直（及びしたがって特に光軸Ｘに垂直）な方向Ｚに延びる。
【００８８】
第２のモータ４４及び第２のウォームスクリュ３４は、ケース１２内において、同じ方向であるが、円柱度数レンズ２、４に対して第１のモータ４２及び第１のウォームスクリュ３４と対向して延びる。第２のモータ４４はモータを収容するための空間内に収容され、一方で第２のウォームスクリュ３４は光学素子を収容するための空間内に存在する。
【００８９】
したがって、第１のウォームスクリュ３２及び第２のウォームスクリュ３４は、第１の歯２２と第２の歯２４とで形成されたアセンブリの両側に配置されることと、これらの様々な部品（第１のウォームスクリュ３２、第２のウォームスクリュ３４、第１又は第２の歯２２、２４）の横方向の嵩（前述の軸Ｘ及びＺに垂直な軸Ｙに沿った）は、第１及び第２のウォームスクリュ３２、３４がそれらを収容するのに必要な余分な空間無しに光学素子を収容するための空間内に含まれるように、第３の歯２７の直径より小さいこととに注意されたい。
【００９０】
さらに、第１及び第２のモータ４２、４４はそれぞれ、第１及び第２の歯２２、２４のそれぞれより大きく、且つケース１２の第１及び第２の部分１４、１６のそれぞれよりさらに大きい、光軸Ｘに沿った嵩を有する。しかし、これら第１及び第２のモータ４２、４４は、上に示すようにケース１２のそれぞれの側に配置されるため（軸Ｚに対して）、それぞれ、ケース１２の第１の部分１４及び第２の部分１６に沿って光軸Ｘに沿って延びる空間を占め得る。
【００９１】
例えば、第１及び第２モータ４２、４４のそれぞれは６〜１２ｍｍ（例えば１０ｍｍ）の横方向の嵩（モータの外径）を有し、第１及び第２の歯２２、２４はそれぞれ１〜４ｍｍ（例えば２．５ｍｍ）の厚さ（軸Ｘに沿った嵩）を有する。
【００９２】
第３のモータ４６及び第３のウォームスクリュ３６は、対称的に、ケース１２の第３の部分１８に沿って軸Ｘに沿って延びる領域内のモータを収容するための空間内に配置される。したがって、第３のウォームスクリュ３６は第３の歯２７とその上側部分で係合し、これにより、上に示すようにケース１２が第３の歯２７の下側部分におけるケース１２の形状に密に従うようにする。
【００９３】
説明した例では、図４に示すように、第３のモータ４６及び第３のウォームスクリュ３６の軸はケース１２の上面に対して（特に前述の軸Ｙに対して）若干傾斜される。
【００９４】
第３の歯２７の厚さは、例えば０．３ｍｍ〜２ｍｍに含まれるようにされ得る。
【００９５】
様々な要素のこの配置により、通常は１５〜２０ｍｍの厚さを有する比較的薄いケースが得られるようにする。
【００９６】
ケース１２はまた、例えばモータを収容するための空間の上側領域内に、ここでは共通プリント回路基板により担持される複数の集積回路から形成される制御要素５０を含む。
【００９７】
さらに、電力貯蔵装置ここでは電池５８（変形形態として、スーパーキャパシタであり得る）が装置をスタンドアロンにするために設けられる。例えば、電力貯蔵装置５８を再充電するための無接触素子もまた設けられ得る。電池５８は特に、モータ４２、４４、４６と制御要素５０とに電力が供給され得るようにする。
【００９８】
このような制御要素５０の主要素子と、前述のモータ４２、４４、４６及び前述の光学セル５２、５４、５６へのそれらの接続とが図５に概略的に示される。
【００９９】
制御要素５０は、設定点データ（すなわち、光学素子２、４、６で形成された光学系により生成される補正を規定する球面度数Ｓ、円柱度数Ｃ、及び非点収差αの角度のユーザにより要求される値を示すデータ）をここでは無線リンクを介し受信するように設計された受信モジュール６０を含む。
【０１００】
受信モジュール６０は、例えばユーザにより制御される赤外線発射遠隔制御装置からこの設定点データを受信する赤外線受信モジュールである。変形形態として、これらの設定点データが無線リンク（例えば、ローカル無線通信ネットワーク）を介してパーソナルコンピュータから受信されるようにし得、この場合、ユーザはコンピュータ上で会話型選択により視覚補正系の球面度数Ｓ、円柱度数Ｃ及び非点収差αの角度の値を選択し得る。
【０１０１】
受信モジュール６０は、受信された設定点データＳ、Ｃ、αを、計算機６６（例えば、以下に述べるように計算機の機能を行うようにコンピュータプログラムを実行するプロセッサからなる）へ、特にこの計算機６６により制御される計算モジュール６８へ送信する。
【０１０２】
計算モジュール６８は、入力として受信された設定点値Ｓ、Ｃ、αを得るために必要な角度α1、α2の値と球面度数ＳVの値とを上記式を使用して計算する。平坦−円柱レンズ２、４が−Ｃ0及びＣ0の円柱度数をそれぞれ有する場合、例えば下記式が使用される。
【数３】
0006574202.tif 000004
【０１０３】
計算機６６はまた、他のものと無関係にモータ４２、４４、４６のそれぞれを制御して、所望の値が得られるようにする歯２２、２４、２７のそれぞれの位置を得るために、計算モジュール６８により計算された角度α1、α2及び球面度数ＳVの値を入力として受信するとともに、制御信号をモータ４２、４４、４６へ発する制御モジュール７０を含む。
−  制御モジュール７０は、凸状平坦−円柱レンズ２（第１の歯２２により担持される）の光学活性円柱表面の軸Ｙ1が基準方向Ｙ0と角度α1をなす位置まで、第１の歯２２を光軸Ｘを中心として回転させるように第１のモータ４２を制御し、
−  制御モジュール７０は、凹状平坦−円柱レンズ４（第２の歯２４により担持される）の光学活性円柱表面の軸Ｙ2が基準方向Ｙ0と角度α２をなす位置まで、第２の歯２４を光軸Ｘを中心として回転させるように第２のモータ４４を制御し、及び
−  制御モジュール７０は、可変球面度数の制御リングが球面度数ＳVを計算モジュール６８により計算された度数へ設定する位置まで、第３の歯２７を光軸Ｘを中心として回転させるように第３のモータ４６を制御する。
【０１０４】
各歯２２、２４、２７の位置は、それぞれが関連付けられた歯上のホイールの外周上の基準点（例えば、歯の無い点）に対して光学セルを通過した歯の数を測定する光学セル５２、５４、５６により、それぞれ各時点で知られる。
【０１０５】
本明細書で説明する例では、第１のモータ４２／第１のウォームスクリュ３２／第１の歯２２のアセンブリは、第２のモータ４４／第２のウォームスクリュ３４／第２の歯２４のアセンブリと全く同様に、歯２２、２４の１つの回転が関連モータ４２、４４の１５０４０マイクロステップに対応するような歯車比を有する。したがって、分解能（１マイクロステップの歯２２、２４の回転角）は角度α1、α2に対して０．０２４°である。
【０１０６】
第３のモータ４６／第３のウォームスクリュ３６／第３の歯４６のアセンブリの一部は１回転当たり１６６４０マイクロステップの歯車比を有する。可変球面度数を制御するためのリングは、−２５Ｄ〜２５Ｄ（すなわち、５０Ｄの変化のスパン）の球面度数の変化を得るように１２０°の（したがって、５５４７マイクロステップに対応する）角度スパンにわたって調整可能である。したがって、分解能（１マイクロステップに対する球面度数ＳVの変化）は、０．００９Ｄである。
【０１０７】
１つの想定可能な実施形態によると、視覚補正装置の度数設定点を任意選択的に補正するために、球状レンズ６の入口面と視覚補正系を通して観測する眼の角膜の頂点との間の距離を制御要素５０に考慮させるようにさせ得る。この距離（「レンズ−眼距離」（ｌｅｎｓ−ｅｙｅ  ｄｉｓｔａｎｃｅ）を略したＬＥＤで表される場合もある）は、そのようにするための公知の手段により得ることができる。
【０１０８】
等価焦点距離Ｆの球面度数Ｓの例を挙げると、位置決め誤差εは、球面度数Ｓ’と等価な補正焦点長Ｆ’が必要とされるであろうことを意味するであろう。ここで、
【数４】
0006574202.tif 000005
であり、これは第一近似では次式となる。
Ｓ’＝Ｓ・（１＋ε・Ｓ）
【０１０９】
したがって、制御要素５０は、入力として受信された設定点値Ｓ、Ｃ、αだけでなく眼−装置（ここでは角膜−レンズ６の入口面）距離にも応じて角度α1、α2の値と球面度数ＳVの値（及び、上に示すようにモータへそれぞれ印加される制御信号）とを、この実施形態に従って判断する。レンズ−眼距離は、本明細書では、未補正設定点を受信する制御要素５０により考慮される（すなわち、レンズ−眼距離が考慮されない）ことに注意されたい。
【０１１０】
さらに、初期設定点値α1、α2、ＳVから新しい設定点値α’1、α’2、Ｓ’Vへの移行中、第１、第２及び第３のモータ４２、４４、４６のそれぞれが、設定点変化のうちの１つの設定点変化の振幅（例えば、球面度数の変化（絶対値）｜Ｓ’V−ＳV｜）に任意選択的に依存し得る所定長の時間Ｔ（秒）の間、作動され得るようにすることができる。ここで、｜ｘ｜はｘの絶対値である。
【０１１１】
これを行うために、計算機６６は、例えば、角度α1から角度α’1への移行を可能にするモータ４２のマイクロステップの数ｐ1、角度α2から角度α’2への移行を可能にするモータ４４のマイクロステップの数ｐ2、球面度数ＳVから球面度数Ｓ’Vへの移行を可能にするモータ４６のマイクロステップの数ｐ3を判断する。次に、計算機６６は、モータ４２に１秒当たりｐ1／Ｔマイクロステップの速度で回転するように、モータ４４に１秒当たりｐ2／Ｔマイクロステップの速度で回転するように、及びモータ４６に１秒当たりｐ3／Ｔマイクロステップの速度で回転するように命令する。
【０１１２】
制御要素５０はまた、測定された周囲温度に関するデータムを提供する温度センサ６２と、例えば視覚補正系１０の配向（例えば垂直に対する）に関するデータムを提供する加速度計の形式を取る傾斜計６４とを含む。
【０１１３】
計算機６６は、温度センサ６２により生成された温度データムと傾斜計６４により生成された配向データムとを受信し、これらのデータをモータ４２、４４、４６へ送信すべき命令の判断に関連して使用する。
【０１１４】
説明した例では、制御モジュール７０は、温度に起因するレンズ６の球面度数の変化（記載の例では約０．０６Ｄ／℃）を補正するために温度データムを使用し、視覚補正系１０の配向の変化に起因する駆動系（モータ、ウォームスクリュ、歯）の潜在的擾乱を補正するために配向データムを使用する。
【０１１５】
視覚補正系１０は、ジャクソンクロスシリンダ関数、単にフリップクロスシリンダとも呼ばれるジャクソンクロスシリンダを提供するために使用され得る。
【０１１６】
第１の例によると、この関数は、必要な円柱補正（ｃｙｌｉｎｄｒｉｃａｌ  ｃｏｒｒｅｃｔｉｏｎ）（「円柱軸」と称する場合もあるパラメータ）の角度α0を検証する（又はさらには発見する）ために使用され得る。ここでは、球面度数補正値Ｓ0及び円柱度数補正値Ｃ0もまた事前に判断されていると仮定する。
【０１１７】
ジャクソンクロスシリンダ関数は、例えば以下の２組の設定点、すなわち、角度α0により定義された軸から４５°における円柱度数Ｃvar（例えば０．５Ｄ）の加算に対応する第１の組の設定点、
−  非点収差設定点の角度α1＝α0＋０．５ａｔａｎ（Ｃvar／Ｃ0）、
−  円柱度数設定点Ｃ1＝Ｒｏｏｔ（Ｃ02＋Ｃvar2）（ここで、Ｒｏｏｔは平方根関数である）、及び
−  球面度数設定点Ｓ1＝Ｓ0＋Ｃ0／２−Ｃ1／２、
並びに角度α0により定義された軸から４５°における円柱度数−Ｃvarの加算に対応する第２の組の設定点、
−  非点収差設定点の角度α2＝α0−０．５ａｔａｎ（Ｃvar／Ｃ0）、
−  円柱度数設定点Ｃ2＝Ｒｏｏｔ（Ｃ02＋Ｃvar2）、及び
−  球面度数設定点Ｓ2＝Ｓ0＋Ｃ0／２−Ｃ2／２
を交互に高速に適用することにより提供される。
【０１１８】
第２の例によると、この関数は必要な円柱度数補正値Ｃ0の値を検証する（又はさらに発見する）ために使用され得る。ここでは、球面度数補正値Ｓ0及び非点収差値α0の角度もまた事前に判断されていると仮定する。
【０１１９】
ジャクソンクロスシリンダ関数は、例えば以下の２組の設定点、すなわち、角度α0により定義された軸上の円柱度数Ｃvar（例えば０．５Ｄ）の加算に対応する第１の組の設定点、
−  非点収差設定点の角度α1＝α0、
−  円柱度数設定点Ｃ1＝Ｃ0＋Ｃvar、及び
−  球面度数設定点Ｓ1＝Ｓ0−Ｃvar／２、
並びに角度α0により定義された軸上の円柱度数−Ｃvarの加算に対応する第２の組の設定点、
−  非点収差設定点の角度α2＝α0、
−  円柱度数設定点Ｃ2＝Ｃ0−Ｃvar、及び
−  球面度数設定点Ｓ2＝Ｓ0＋Ｃvar／２
を交互に高速に適用することにより提供される。
本開示は以下を含む。
［構成１］
可変度数の光学的補正により観測の光軸（Ｘ）に沿った観測を可能にする視覚補正系（１０）において、
−  前記光軸（Ｘ）を中心とする回転運動により回転可能であり、且つ前記光軸（Ｘ）に沿った第１の円柱度数を有する第１の光学素子（２）と、
−  前記光軸（Ｘ）を中心とする回転運動により回転可能であり、且つ前記光軸（Ｘ）に沿った第２の円柱度数を有する第２の光学素子（４）と、
−  軸について前記光軸を有し、且つ可変球面度数のレンズ（６）と
を含むことを特徴とする、視覚補正系（１０）。
［構成２］
前記第１の光学素子（２）と前記第２の光学素子（４）とは、少なくとも１つの位置において、前記第１の光学素子（２）と前記第２の光学素子（４）との合成により生成される結果的な円柱度数が０．１ジオプタ未満の値を有するように、互いに独立に回転可能である、構成１に記載の視覚補正系。
［構成３］
前記第１の光学素子（２）と前記第２の光学素子（４）とは、少なくとも１つの位置において、前記第１の光学素子（２）と前記第２の光学素子（４）との前記合成により生成される前記結果的な円柱度数が零の値を有するように、互いに独立に回転可能である、構成１又は２に記載の視覚補正系。
［構成４］
前記第１の光学素子（２）と前記第２の光学素子（４）との前記合成により導出される球面度数は、可変球面度数の前記レンズ（６）により少なくとも部分的に補正される、構成１〜３のいずれか一項に記載の視覚補正系。
［構成５］
可変球面度数の前記レンズ（６）は流体と変形可能膜とを含むレンズである、構成１〜４のいずれか一項に記載の視覚補正系。
［構成６］
第１のモータ（４２）により駆動される第１の機構（３２、２２）は、前記光軸（Ｘ）を中心とする回転運動により前記第１の光学素子（２）を回転するように設計され、第２のモータ（４４）により駆動される第２の機構（３４、２４）は、前記光軸（Ｘ）を中心とする回転運動により前記第２の光学素子（４）を回転するように設計される、構成１〜５のいずれか一項に記載の視覚補正系。
［構成７］
第３のモータ（４６）により駆動される第３の機構（３６、２７）は、可変球面度数の前記レンズ（６）の前記球面度数を制御するためのリングを駆動して回転させるように設計される、構成１〜６のいずれか一項に記載の視覚補正系。
［構成８］
制御要素（５０）は、設定点データに応じて前記第１のモータ（４２）と前記第２のモータ（４４）とをそれぞれ制御するように設計される、構成６又は７に記載の視覚補正系。
［構成９］
前記制御要素（５０）は温度センサ（６２）を含む、構成８に記載の視覚補正系。
［構成１０］
前記制御要素（５０）は、配向データムを提供するように設計された配向又は運動のセンサ（６４）を含む、構成８又は９に記載の視覚補正系。
［構成１１］
前記制御要素（５０）は、前記設定点データ及び前記配向データムのうちの少なくとも１つに応じて制御信号を生成し、且つ前記第１のモータ（４２）と前記第２のモータ（４４）とにそれぞれに宛てられた制御信号を発するように設計された計算機（６６）を含む、構成１０に記載の視覚補正系。
［構成１２］
前記制御要素（５０）は、前記設定点データ及び前記系の一部と前記系を通して観測する眼との間の距離のうちの少なくとも１つに応じて制御信号を生成するように設計される、構成８〜１１のいずれか一項に記載の視覚補正系。
［構成１３］
前記第１の機構は、前記第１のモータ（４２）の駆動軸へ確実に固着される第１のウォームスクリュ（３２）と相互作用する第１の歯（２２）を含み、前記第１の光学素子（２）は前記第１の歯（２２）に取り付けられ、前記第２の機構は、前記第２のモータ（４４）の駆動軸へ確実に固着される第２のウォームスクリュ（３４）と相互作用する第２の歯（２４）を含み、前記第２の光学素子（４）は前記第２の歯（２４）に取り付けられる、構成６〜１２のいずれか一項に記載の視覚補正系。
［構成１４］
前記第３の機構は、前記第３のモータ（４６）の駆動軸へ確実に固着される第３のウォームスクリュ（３６）と相互作用する第３の歯（２７）を含み、前記制御リングは前記第３の歯（２７）へ確実に固着される、構成７が構成６に従属する場合の構成７〜１３のいずれか一項に記載の視覚補正系。
［構成１５］
前記第１のモータ（４２）、前記第２のモータ（４４）及び前記第３のモータ（４６）は、前記レンズの有効半径から２０ｍｍ未満の距離において、前記光軸（Ｘ）を中心とする円状幾何学形状を少なくとも１２０°にわたって確保するように配置される、構成１３に従属する場合の構成１４に記載の視覚補正系。
［構成１６］
前記関連光学素子（２；４；６）の位置を判断するように前記歯（２２；２４；２７）のうちの１つに関連付けられた少なくとも１つの光学セル（５２；５４；５６）を含む、構成１３〜１５のいずれか一項に記載の視覚補正系。
［構成１７］
前記第１の光学素子、前記第２の光学素子及び前記レンズは、電力の供給無しにそれらのそれぞれの設定点位置を維持するように取り付けられる、構成１〜１６のいずれか一項に記載の視覚補正系。
［構成１８］
前記第１の光学素子（２）及び前記第２の光学素子（４）は、前記光軸（Ｘ）に沿った１ｍｍ未満の次元の空間により隔てられる、構成１〜１７のいずれか一項に記載の視覚補正系。
［構成１９］
前記第１の光学素子（２）は第１の平坦−円柱レンズの面上に形成された第１のジオプタであり、前記第２の光学素子（４）は第２の平坦−円柱レンズの面上に形成された第２のジオプタである、構成１〜１８のいずれか一項に記載の視覚補正系。
［構成２０］
前記第１の光学素子（２）は凸状平坦−円柱レンズであり、前記第２の光学素子（４）は凹状平坦−円柱レンズである、構成１９に記載の視覚補正系。
［構成２１］
前記第１の光学素子（２）、前記第２の光学素子（４）及び前記レンズ（６）は、ジャクソンクロスシリンダ関数を提供するように制御される、構成１〜２０のいずれか一項に記載の視覚補正系。
［構成２２］
可変度数の光学的補正により観測の光軸（Ｘ）に沿った観測を可能にする視覚補正系（１０）において、
−  前記光軸（Ｘ）を中心とする回転運動により回転可能であり、且つ前記光軸（Ｘ）に沿った第１の円柱度数を有する第１の光学素子（２）と、
−  前記光軸（Ｘ）を中心とする回転運動により回転可能であり、且つ前記光軸（Ｘ）に沿った第２の円柱度数を有する第２の光学素子（４）と、
−  軸について前記光軸を有する可変球面度数のレンズであって、前記球面度数を連続的に変化させるように機械的に作動可能なレンズ（６）と
を含むことを特徴とする、視覚補正系（１０）。
［構成２３］
２つの光学系を含む検眼用双眼鏡装置であって、前記２つの光学系のうちの少なくとも１つは構成１〜２２のいずれか一項に記載の視覚補正系である、検眼用双眼鏡装置。
【図１】
0006574202.tif 000006
【図２】
0006574202.tif 000007
【図３】
0006574202.tif 000008
【図４】
0006574202.tif 000009
【図５】
0006574202.tif 000010